(57)【要約】【課題】線形変換モードと対数変換モードとを入射光量に基づいて切り換える撮像素子を用いる場合であっても、輝度差に関らずコントラストの良い良好な画像を得る。【解決手段】撮像装置１は、入射光を電気信号に線形変換する線形変換動作と、対数変換する対数変換動作とを入射光量に基づいて切り換える複数の画素Ｇ11〜Ｇmnを有する撮像素子２と、撮像素子２を制御する制御装置４６とを備える。制御装置４６は、画素Ｇ11〜Ｇmnを２種類の画素群に分類し、線形変換動作と対数変換動作との境界となる変曲点Ｑを、各画素群の間で変えて設定する。【選択図】図２
2006303755.tif 000002
【特許請求の範囲】
【請求項１】
入射光を電気信号に線形変換する線形変換動作と、対数変換する対数変換動作とを入射光量に基づいて切り換える複数の画素を有する撮像素子と、
前記撮像素子を制御する制御装置とを備え、
前記制御装置は、
前記複数の画素を少なくとも２種類の画素群に分類し、
前記線形変換動作と前記対数変換動作との境界となる変曲点を、各画素群の間で変えて設定することを特徴とする撮像装置。
【請求項２】
請求項１記載の撮像装置において、
前記画素群によって得られた画像データに基づいて、当該画素群に含まれる前記画素間での画像データを補間演算する補間部を備えることを特徴とする撮像装置。
【請求項３】
請求項１または２記載の撮像装置において、
複数の前記画素群によって撮影される複数の画像から１枚の画像を合成する画像合成部を備えることを特徴とする撮像装置。
【請求項４】
請求項３記載の撮像装置において、
前記画像合成部は、前記複数の画像から、輝度飽和のない領域を抜き出して合成することを特徴とする撮像装置。
【請求項５】
請求項１〜４の何れか一項に記載の撮像装置において、
操作指示が入力される入力装置を備え、
前記制御装置は、前記入力装置に入力される操作指示に基づいて前記複数の画素の分類を行うことを特徴とする撮像装置。
【請求項６】
請求項１〜５の何れか一項に記載の撮像装置において、
前記制御装置は、
複数の撮影モードの何れか１つによって前記撮像素子に撮影を行わせ、
これら複数の撮影モードのうち、所定の撮影モードで撮影を行わせる場合にのみ、各画素群の間で前記変曲点を変えて設定することを特徴とする撮像装置。
【請求項７】
入射光を電気信号に線形変換する線形変換動作と、対数変換する対数変換動作とを入射光量に基づいて切り換える複数の画素を有する撮像素子を用い、
前記複数の画素を少なくとも２種類の画素群に分類する分類工程と、
前記線形変換動作と前記対数変換動作との境界となる変曲点を、各画素群の間で変えて設定する変曲点設定工程と、
前記変曲点設定工程で設定された変曲点で画像を撮影する撮影工程とを行うことを特徴とする撮像方法。
【請求項８】
請求項７記載の撮像方法において、
前記画素群により前記撮影工程で得られた画像データに基づいて、当該画素群に含まれる前記画素間での画像データを補間演算する補間工程を行うことを特徴とする撮像方法。
【請求項９】
請求項７または８記載の撮像方法において、
前記複数の画素群により前記撮影工程で撮影される複数の画像から１枚の画像を合成する画像合成工程を行うことを特徴とする撮像方法。
【請求項１０】
請求項９記載の撮像方法において、
前記画像合成工程では、前記複数の画像から、輝度飽和のない領域を抜き出して合成することを特徴とする撮像方法。
【請求項１１】
請求項７〜１０の何れか一項に記載の撮像方法において、
操作指示が入力される入力装置を用い、
前記分類工程では、前記入力装置に入力される操作指示に基づいて前記複数の画素の分類を行うことを特徴とする撮像方法。
【請求項１２】
請求項７〜１１の何れか一項に記載の撮像方法において、
前記撮影工程では、複数の撮影モードの何れか１つによって撮影を行い、
前記変曲点設定工程では、前記複数の撮影モードのうち、所定の撮影モードで撮影を行う場合にのみ、各画素群の間で前記変曲点を変えて設定することを特徴とする撮像方法。
【発明の詳細な説明】
【技術分野】
【０００１】
本発明は、入射光を電気信号に変換する撮像素子を有する撮像装置と、前記撮像素子を用いた撮像方法とに関する。
【背景技術】
【０００２】
従来、入射光を電気信号に変換する撮像素子を用いてデジタル画像を撮影する撮像装置では、輝度差の大きいシーン（例えば、背景が明るく主被写体が暗い、いわゆる逆光シーンなど）を撮影すると、電気信号に変換可能な光量のダイナミックレンジよりも、輝度差に対応する光量の範囲が広くなってしまう結果、背景と主被写体双方に適正な露光が行えずに、背景が白とびした画像が得られたり、逆に、主被写体が黒つぶれした画像が得られたりするという問題が生じていた。
【０００３】
近年、このような問題を解決する手法として、２つの手法が提案されている。
即ち、第１の手法は、前記撮像素子として、入射光量に基づいて入射光を電気信号に線形変換する線形変換動作と、対数変換する対数変換動作とを切り換えるものを用いる手法である（例えば、特許文献１，２参照）。この手法によれば、線形変換動作のみを行う撮像素子を用いる場合と比較して電気信号のダイナミックレンジが広くなる分、広い輝度範囲の輝度情報が電気信号で表現されるため、輝度飽和の少ない画像を撮影することができる。
【０００４】
また、第２の手法は、異なる露光条件で２枚の画像を連続撮影し、輝度飽和せずに撮影された領域を各画像から抜き出して合成することで１枚の画像を得る手法である（例えば、特許文献３参照）。この手法によれば、輝度飽和のない領域同志が１枚の画像に合成されるため、輝度飽和のない画像を得ることができる。
【特許文献１】特開２００２−７７７３３号公報
【特許文献２】特開２００４−８８３１２号公報
【特許文献３】特開２００４−１５９２１１号公報
【発明の開示】
【発明が解決しようとする課題】
【０００５】
しかしながら、単純に上記第１の手法で画像を撮影すると、被写体の輝度差によっては輝度情報を電気信号で十分に表現しきれず、画像のコントラストが悪くなってしまう。具体的には、例えば快晴時に屋外で撮影を行う場合には、主被写体の輝度と背景の輝度との輝度差が大きくなるため、一般的には高輝度部分の輝度飽和を防止する観点から、対数変換モードの割合が撮像素子全体で大きくなるよう撮影条件を設定して撮影する結果、主被写体部分の輝度情報が電気信号で表現されにくくなり、コントラストが悪くなってしまう。
【０００６】
また、上記第２の手法で画像を撮影すると、１回目の撮影と２回目の撮影との間にタイムラグがあるため、この間に主被写体が移動したり輝度が変化したりすると、２枚の撮影画像間で被写体の同一性が保たれず、良好な画像を得ることができない。なお、この問題を解決するためには、露光条件の異なる複数の撮像素子を用いて２枚の画像を同時に撮影して合成することも考えられるが、この手法では良好な画像を得ることはできるものの、撮像装置が大型化してしまうため、実用性に乏しい。
【０００７】
本発明の課題は、線形変換モードと対数変換モードとを入射光量に基づいて切り換える撮像素子を用いる場合であっても、輝度差に関らずコントラストの良い良好な画像を得ることができる撮像装置及び撮像方法を提供することである。
【課題を解決するための手段】
【０００８】
請求項１記載の発明は、撮像装置において、
入射光を電気信号に線形変換する線形変換動作と、対数変換する対数変換動作とを入射光量に基づいて切り換える複数の画素を有する撮像素子と、
前記撮像素子を制御する制御装置とを備え、
前記制御装置は、
前記複数の画素を少なくとも２種類の画素群に分類し、
前記線形変換動作と前記対数変換動作との境界となる変曲点を、各画素群の間で変えて設定することを特徴とする。
【０００９】
請求項１記載の発明によれば、複数の画素を少なくとも２つの画素群に分類し、各画素群の間で変曲点を変えて設定するので、電気信号で表現可能な輝度範囲を画素群の間で変えることができる、つまり、撮像条件の異なる複数枚の画像を同時に撮影することができる。従って、前記第１の手法を単純に用いる従来の場合と異なり、線形変換モードと対数変換モードとを入射光量に基づいて切り換える撮像素子を用いる場合であっても、被写体の輝度差に関らずコントラストの良い画像を撮影することができる。また、このように１回の撮影でコントラストの良い画像を撮影することができるため、前記第２の手法を用いる従来の場合と異なり、良好な画像を得ることができる。また、露光条件の異なる複数の撮像素子を用いて２枚の画像を同時に撮影して合成する場合と異なり、撮像装置の大型化を防止することができる。
【００１０】
請求項２記載の発明は、請求項１記載の撮像装置において、
前記画素群によって得られた画像データに基づいて、当該画素群に含まれる前記画素間での画像データを補間演算する補間部を備えることを特徴とする。
【００１１】
請求項２記載の発明によれば、画素群に含まれる画素間での画像データを補間部が補間演算するので、各画素群による撮影画像を精細な画像とすることができる。
【００１２】
請求項３記載の発明は、請求項１または２記載の撮像装置において、
複数の前記画素群によって撮影される複数の画像から１枚の画像を合成する画像合成部を備えることを特徴とする。
【００１３】
請求項３記載の発明によれば、複数の画素群によって撮影される複数の画像から画像合成部が１枚の画像を合成するので、各画素群によって撮影される画像に白飛び領域やコントラストの悪い領域が生じる場合であっても、これらの画像から白飛びのなく、コントラストの良い領域を抜き出して合成することができる。従って、白飛びのなく、コントラストの良い画像を得ることができる。
【００１４】
請求項４記載の発明は、請求項３記載の撮像装置において、
前記画像合成部は、前記複数の画像から、輝度飽和のない領域を抜き出して合成することを特徴とする。
請求項４記載の発明によれば、請求項３記載の発明と同様の効果を得ることができる。
【００１５】
請求項５記載の発明は、請求項１〜４の何れか一項に記載の撮像装置において、
操作指示が入力される入力装置を備え、
前記制御装置は、前記入力装置に入力される操作指示に基づいて前記複数の画素の分類を行うことを特徴とする。
【００１６】
請求項５記載の発明によれば、請求項１〜４の何れか一項に記載の発明と同様の効果を得ることができる。
【００１７】
請求項６記載の発明は、請求項１〜５の何れか一項に記載の撮像装置において、
前記制御装置は、
複数の撮影モードの何れか１つによって前記撮像素子に撮影を行わせ、
これら複数の撮影モードのうち、所定の撮影モードで撮影を行わせる場合にのみ、各画素群の間で前記変曲点を変えて設定することを特徴とする。
【００１８】
請求項６記載の発明によれば、撮像素子が所定の撮影モードで撮影を行う場合にのみ、制御装置が各画素群の間で変曲点を変えて設定するので、所定の撮影モード以外の撮影モードでは、全ての画素によって同一の変曲点で撮影を行うことができる。従って、画素群によって異なる変曲点で別々に撮影を行う場合と比較して、精細な画像や大型な画像を得ることができる。
【００１９】
請求項７記載の発明は、撮像方法において、
入射光を電気信号に線形変換する線形変換動作と、対数変換する対数変換動作とを入射光量に基づいて切り換える複数の画素を有する撮像素子を用い、
前記複数の画素を少なくとも２種類の画素群に分類する分類工程と、
前記線形変換動作と前記対数変換動作との境界となる変曲点を、各画素群の間で変えて設定する変曲点設定工程と、
前記変曲点設定工程で設定された変曲点で画像を撮影する撮影工程とを行うことを特徴とする。
【００２０】
請求項７記載の発明によれば、複数の画素を少なくとも２つの画素群に分類し、各画素群の間で変曲点を変えて設定することにより、電気信号で表現可能な輝度範囲を画素群の間で変えることができる、つまり、撮像条件の異なる複数枚の画像を同時に撮影することができる。従って、前記第１の手法を単純に用いる従来の場合と異なり、線形変換モードと対数変換モードとを入射光量に基づいて切り換える撮像素子を用いる場合であっても、被写体の輝度差に関らずコントラストの良い画像を撮影することができる。また、このように１回の撮影でコントラストの良い画像を撮影することができるため、前記第２の手法を用いる従来の場合と異なり、良好な画像を得ることができる。また、露光条件の異なる複数の撮像素子を用いて２枚の画像を同時に撮影して合成する場合と異なり、撮像装置の大型化を防止することができる。
【００２１】
請求項８記載の発明は、請求項７記載の撮像方法において、
前記画素群により前記撮影工程で得られた画像データに基づいて、当該画素群に含まれる前記画素間での画像データを補間演算する補間工程を行うことを特徴とする。
【００２２】
請求項８記載の発明によれば、画素群に含まれる画素間での画像データを補間演算することにより、各画素群による撮影画像を精細な画像とすることができる。
【００２３】
請求項９記載の発明は、請求項７または８記載の撮像方法において、
前記複数の画素群により前記撮影工程で撮影される複数の画像から１枚の画像を合成する画像合成工程を行うことを特徴とする。
【００２４】
請求項９記載の発明によれば、複数の画素群によって撮影される複数の画像から１枚の画像を合成することにより、各画素群によって撮影される画像に白飛び領域やコントラストの悪い領域が生じる場合であっても、これらの画像から白飛びのなく、コントラストの良い領域を抜き出して合成することができる。従って、白飛びのなく、コントラストの良い画像を得ることができる。
【００２５】
請求項１０記載の発明は、請求項９記載の撮像方法において、
前記画像合成工程では、前記複数の画像から、輝度飽和のない領域を抜き出して合成することを特徴とする。
請求項１０記載の発明によれば、請求項９記載の発明と同様の効果を得ることができる。
【００２６】
請求項１１記載の発明は、請求項７〜１０の何れか一項に記載の撮像方法において、
操作指示が入力される入力装置を用い、
前記分類工程では、前記入力装置に入力される操作指示に基づいて前記複数の画素の分類を行うことを特徴とする。
【００２７】
請求項１１記載の発明によれば、請求項７〜１０の何れか一項に記載の発明と同様の効果を得ることができる。
【００２８】
請求項１２記載の発明は、請求項７〜１１の何れか一項に記載の撮像方法において、
前記撮影工程では、複数の撮影モードの何れか１つによって撮影を行い、
前記変曲点設定工程では、前記複数の撮影モードのうち、所定の撮影モードで撮影を行う場合にのみ、各画素群の間で前記変曲点を変えて設定することを特徴とする。
【００２９】
請求項１２記載の発明によれば、撮像素子が所定の撮影モードで撮影を行う場合にのみ各画素群の間で変曲点を変えて設定することにより、所定の撮影モード以外の撮影モードでは、全ての画素によって同一の変曲点で撮影を行うことができる。従って、画素群によって異なる変曲点で別々に撮影を行う場合と比較して、精細な画像や大型な画像を得ることができる。
【発明の効果】
【００３０】
請求項１，７記載の発明によれば、前記第１の手法を単純に用いる従来の場合と比較して、コントラストの良い画像を撮影することができる。また、前記第２の手法を用いる従来の場合と異なり、良好な画像を得ることができる。
【００３１】
請求項２，８記載の発明によれば、請求項１，７記載の発明と同様の効果を得ることができるのは勿論のこと、各画素群による撮影画像を精細な画像とすることができる。
【００３２】
請求項３，９記載の発明によれば、請求項１または２，７または８記載の発明と同様の効果を得ることができるのは勿論のこと、白飛びのなく、コントラストの良い画像を得ることができる。
請求項４，１０記載の発明によれば、請求項３，９記載の発明と同様の効果を得ることができる。
【００３３】
請求項５，１１記載の発明によれば、請求項１〜４，７〜１０の何れか一項に記載の発明と同様の効果を得ることができる。
請求項６，１２記載の発明によれば、請求項１〜５，７〜１１の何れか一項に記載の発明と同様の効果を得ることができるのは勿論のこと、精細な画像や大型な画像を得ることができる。
【発明を実施するための最良の形態】
【００３４】
［実施の形態］
以下、図面を参照しつつ、本発明の実施の形態について説明する。なお、本実施の形態においては、本発明に係る撮像装置を、コンパクトタイプのデジタルカメラとして説明する。
【００３５】
図１（ａ）は、本発明に係る撮像装置１の外観を示す図である。
この図に示すように、撮像装置１が備える筐体１０の前面中央部には、レンズユニット１１が配設されている。
【００３６】
レンズユニット１１は被写体からの光を所定の焦点に集光させるものであり、図２に示すように、レンズ群１１ａ及び絞り１１ｂを備えている。これらレンズ群１１ａ及び絞り１１ｂとしては、従来より公知のものが用いられている。絞り１１ｂには、露光制御処理部４７が接続されており、レンズ群１１ａによって集光される光の量を調整するようになっている。
【００３７】
レンズユニット１１の上部には、図１（ａ）に示すように、照射装置１２及び調光センサ１３が配設されている。
照射装置１２は、撮影時に光を発する補助光源であり、被写体の撮影時に周囲環境の輝度が不足する場合に、所定の発光タイミング及び発光量で被写体に光を照射するようになっている。このような照射装置１２としてはストロボや高輝度ＬＥＤ等があり、本実施の形態においてはストロボが用いられている。なお、照射装置１２は、筐体１０に外付けされていても良い。
調光センサ１３は、照射装置１２の発光量を検知するものである。
【００３８】
また、筐体１０の側面には、ＵＳＢ端子１４が設けられている。このＵＳＢ端子１４にはＵＳＢケーブルが接続可能となっており、これにより撮像装置１はパーソナルコンピュータなどの外部機器（図示せず）と接続可能となっている。
【００３９】
また、筐体１０の上面には、電源スイッチ１５及びレリーズスイッチ１６が配設されている。電源スイッチ１５は撮像装置１の電源をＯＮ（起動）又はＯＦＦ（起動停止）するためのスイッチであり、レリーズスイッチ１６はシャッタレリーズを行うためのスイッチである。なお、本実施の形態においては、レリーズスイッチ１６は、「半押し」によって撮像装置１の各部に撮影の準備動作を開始させ、「全押し」によって撮影動作を開始させるようになっている。撮影の準備動作としては、撮影に必要なパラメータを取得するための動作があり、具体的には被写体の測距などがある。
【００４０】
また、筐体１０の背面には、図１（ｂ）に示すように、モニタ１７が設けられている。このモニタ１７は、ＬＣＤ（Liquid Crystal Display）やＣＲＴ（Cathode Ray Tube）などによって構成されており、被写体のプレビュー画面や撮影画像の他、ユーザが機能選択するためのメニュー画面などを表示するようになっている。
【００４１】
モニタ１７の近傍には、複数の操作キー１８，…及び光学式ファインダ１９が配設されている。
操作キー１８は、本発明における入力装置であり、操作者から各種の操作指示が入力されるようになっている。光学式ファインダ１９は、筐体１０の背面側から操作者に被写体を確認させるためのものである。
【００４２】
続いて、撮像装置１の内部構成について説明する。
図１，図２に示すように、撮像装置１は、レンズユニット１１を介して入射光を受光する撮像素子２を、筐体１０の内側に備えている。
【００４３】
撮像素子２は、図３（ａ）に示すように、行列配置（マトリクス配置）された複数の画素Ｇ11〜Ｇmn（但し、ｎ，ｍは１以上の整数）を有している。これら複数の画素Ｇ11〜Ｇmnは、図３（ｂ）に示すように、縦横に隣接する４つの画素Ｇ11〜Ｇmnによって１つの画素ブロックＢを構成している。なお、このようにして構成される複数の画素ブロックＢ，…は、後述の制御装置４６によって２種類の画素ブロック群Ｂ（α），Ｂ（β）（図８参照）に分類されるものである。なお、図８では、図示の便宜上、「Ｂ（α）」を「α」「Ｂ（β）」を「β」として図示している。
【００４４】
各画素Ｇ11〜Ｇmnは、入射光を光電変換して電気信号を出力するものである。これら画素Ｇ11〜Ｇmnは、入射光量に基づいて電気信号への変換動作を切り換えるようになっており、より詳細には、図４に示すように、入射光を電気信号に線形変換する線形変換動作と、対数変換する対数変換動作とを変曲点Ｑを境界として切り換えるようになっている。本実施の形態においては、各画素Ｇ11〜Ｇmnは、変曲点Ｑに対応する入射光量（以下、変曲入射光量とする）ｔｈ未満の入射光量に対しては線形変換動作を、変曲入射光量ｔｈ以上の入射光量に対しては対数変換動作を行うようになっている。ここで、本実施の形態においては、入射光を電気信号に線形変換や対数変換するとは、光量の時間積分値を線形的な変化態様の電気信号に変換することや、対数的な変化態様の電気信号に変換することである。また、線形変換動作と対数変換動作との境界となる変曲点Ｑは撮像素子２における画素Ｇ11〜Ｇmnの駆動条件、例えば撮影時での露光時間や制御電圧などによって変化し、変曲点Ｑが変化して変曲入射光量ｔｈが大きくなると、線形変換モードの行われる割合が大きくなるようになっている。具体的には、図５に示すように、制御電圧（後述の信号φVPSの電圧値ＶＬ，ＶＨの差）が「Ｖ1」〜「Ｖ3」の順に大きくなるほど、変曲点Ｑに対応する出力信号値（以下、変曲出力信号値Ｈとする）と変曲入射光量ｔｈとは「IV」〜「VI」の順に大きくなり、線形変換モードの行われる割合が大きくなる。なお、図５中、「ａ」〜「ｄ」，「ｄ1」〜「ｄ3」はそれぞれ定数である。このうち、制御電圧Ｖ1〜Ｖ3の駆動条件下での対数変換動作における入出力特性の切片ｄ1〜ｄ3は、当該制御電圧Ｖ1〜Ｖ3に対して比例関係を有している。
【００４５】
これら画素Ｇ11〜Ｇmnのレンズ群１１ａ側には、上述の図３（ｂ）に示すように、それぞれレッド（Red）、グリーン（Green）及びブルー（Blue）のうち何れか１色のフィルタが配設されている。また、画素Ｇ11〜Ｇmnには、図３（ａ）に示すように、電源ライン２０や信号印加ラインＬA1〜ＬAn，ＬB1〜ＬBn，ＬC1〜ＬCn、信号読出ラインＬD1〜ＬDmが接続されている。なお、画素Ｇ11〜Ｇmnには、クロックラインやバイアス供給ライン等のラインも接続されているが、図３（ａ）ではこれらの図示を省略している。
【００４６】
信号印加ラインＬA1〜ＬAn，ＬB1〜ＬBn，ＬC1〜ＬCnは画素Ｇ11〜Ｇmnに対して信号φv，φVD，φVPS（図６，図７参照）を与えるようになっている。これら信号印加ラインＬA1〜ＬAn，ＬB1〜ＬBn，ＬC1〜ＬCnには、垂直走査回路２１が接続されている。この垂直走査回路２１は、後述の信号生成部４８（図２参照）からの信号に基づいて信号印加ラインＬA1〜ＬAn，ＬB1〜ＬBn，ＬC1〜ＬCnに信号を印加するものであり、信号を印加する対象の信号印加ラインＬA1〜ＬAn，ＬB1〜ＬBn，ＬC1〜ＬCnをＸ方向に順次切り換えるようになっている。
【００４７】
信号読出ラインＬD1〜ＬDmには、各画素Ｇ11〜Ｇmnで生成された電気信号が導出されるようになっている。これら信号読出ラインＬD1〜ＬDmには定電流源Ｄ1〜Ｄm及び選択回路Ｓ1〜Ｓmが接続されている。
定電流源Ｄ1〜Ｄmは、画素Ｇ11〜Ｇmnから信号読出ラインＬD1〜ＬDmに読み出された電気信号を増幅するものである。この定電流源Ｄ1〜Ｄmの一端（図中下側の端部）には、直流電圧ＶPSが印加されるようになっている。
【００４８】
選択回路Ｓ1〜Ｓmは、各信号読出ラインＬD1〜ＬDmを介して画素Ｇ11〜Ｇmnから与えられるノイズ信号と撮像時の電気信号とをサンプルホールドするものである。これら選択回路Ｓ1〜Ｓmには、水平走査回路２２及び補正回路２３が接続されている。水平走査回路２２は、電気信号をサンプルホールドして補正回路２３に送信する選択回路Ｓ1〜Ｓmを、Ｙ方向に順次切り換えるものである。また、補正回路２３は、選択回路Ｓ1〜Ｓmから送信されるノイズ信号及び撮像時の電気信号に基づき、当該電気信号からノイズ信号を除去するものである。
【００４９】
なお、選択回路Ｓ1〜Ｓm及び補正回路２３としては、特開平２００１−２２３９４８号公報に開示のものを用いることができる。また、本実施の形態においては、選択回路Ｓ1〜Ｓmの全体に対して補正回路２３を１つのみ設けることとして説明するが、選択回路Ｓ1〜Ｓmのそれぞれに対して補正回路２３を１つずつ設けることとしても良い。
【００５０】
以上の撮像素子２には、図２に示すように、アンプ３０及びＡＤコンバータ３１を介して、黒基準補正部３２及び信号処理部３３がこの順に接続されている。
【００５１】
黒基準補正部３２は、最低輝度値となる黒レベルを基準値に補正するようになっている。これにより、撮像素子２のダイナミックレンジにより黒レベルが異なっても、Ａ／Ｄコンバータ３１から出力されるＲＧＢ各信号の信号レベルに対して、黒レベルとなる信号レベルが減算されて黒基準補正が行われるようになっている。
【００５２】
信号処理部３３は、撮像素子２の各画素Ｇ11〜Ｇmnから対数変換動作で出力される電気信号に対して線形変換を行うことにより、撮像素子２からの出力信号を線形変換動作由来の状態に統一するようになっている。なお、この信号処理部３３はルックアップテーブルを用いて変換を行うこととしてもよいし、指数変換する等の演算によって変換を行うこととしてもよい。
【００５３】
この信号処理部３３には、画像処理部４が接続されている。
画像処理部４は、画素Ｇ11〜Ｇmnからの電気信号全体または画素ブロック群Ｂ（α），Ｂ（β）からの電気信号によって構成される画像データに対して画像処理を行うものであり、ＡＷＢ（Auto White Balance）処理部４０、色補間部４１、色補正部４２、階調変換部４３及び色空間変換部４４をそれぞれ２つ備えている。これらＡＷＢ処理部４０、色補間部４１、色補正部４２、階調変換部４３及び色空間変換部４４は、画素ブロック群Ｂ（α），Ｂ（β）の何れか一方に対応付けられており、信号処理部３３に対してこの順に接続されている。
【００５４】
ＡＷＢ処理部４０は画像データに対してホワイトバランス処理を行うものである。
色補間部４１は、同色の前記フィルタが設けられた複数の近接画素からの電気信号に基づいて、これら近接画素間に位置する画素について、この色の電気信号を補間演算するものである。また、この色補間部４１は、本発明における補間部として機能し、前記画素ブロック群Ｂ（α），Ｂ（β）によって得られた画像データに基づいて、当該画素ブロック群Ｂ（α），Ｂ（β）に含まれる画素ブロックＢ間での画像データを補間演算するようになっている。
【００５５】
色補正部４２は画像データの色合いを補正するものであり、より詳細には、各色の電気信号を他の色の電気信号に基づき画素毎に補正するものである。階調変換部４３は画像データの階調変換を行うものであり、色空間変換部４４はＲＧＢ信号をＹＣｂＣｒ信号に変換するものである。
【００５６】
２つの色空間変換部４４，４４には、画像合成部４１０が接続されている。この画像合成部４１０は、画素ブロック群Ｂ（α），Ｂ（β）によって撮影される２枚の画像から１枚の画像を合成するものであり、本実施の形態においては、これら２枚の画像から輝度飽和のなく、コントラストの良い領域を抜き出して合成するようになっている。なお、輝度飽和のない領域の判別には、例えばＡＥ評価値を用いることができる。
【００５７】
以上の画像処理部４には、前記モニタ１７と記憶部６０とが接続されている。記憶部６０は記録用のメモリであり、信号処理部３３から入力された画像データを記録する画像データ記録領域を有している。この記憶部６０は、例えばフラッシュメモリやハードディスク等によって内臓型に構成されていても良いし、メモリカードやメモリスティック、フロッピー（登録商標）ディスク等によって着脱可能に構成されていても良い。
【００５８】
また、信号処理部３３には、評価値算出部５及び制御装置４６がこの順に接続されている。
評価値算出部５はＡＷＢ処理部４０でのホワイトバランス処理（ＡＷＢ処理）に用いられるＡＷＢ評価値や、露光制御処理部４７での露出制御処理（ＡＥ処理）に用いられるＡＥ評価値を算出するものである。なお、ここで算出されるＡＥ評価値には、被写体の輝度分布についての情報が含まれている。
【００５９】
制御装置４６は、撮像装置１の各部を制御するものであり、上述のアンプ３０、黒基準補正部３２、画像処理部４、照射装置１２、操作キー１８，…、モニタ１７及び記憶部６０等と接続されている。また、制御装置４６は、前記露光制御処理部４７を介して絞り１１ｂと接続され、信号生成部４８を介して撮像素子２及びＡＤコンバータ３１と接続されている。更に、制御装置４６は、電源部６１と接続されている。
【００６０】
信号生成部４８は、制御装置４６からの撮影制御信号に基づいて所定のタイミングパルス（画素駆動信号や水平同期信号、垂直同期信号、水平走査回路駆動信号、垂直走査回路駆動信号など）を生成し、撮像素子２に出力するものである。この信号生成部４８は、Ａ／Ｄコンバータ３１において用いられるＡ／Ｄ変換用のクロックも生成するようになっている。
電源部６１は、制御装置４６などに電力を供給するものである。
【００６１】
続いて、本実施の形態における画素Ｇ11〜Ｇmnについて説明する。
各画素Ｇ11〜Ｇmnは、図６に示すように、フォトダイオードＰ、トランジスタＴ1〜Ｔ6及びキャパシタＣを備えている。なお、トランジスタＴ1〜Ｔ6は、ＰチャネルのＭＯＳトランジスタである。
【００６２】
フォトダイオードＰには、レンズ群１１ａ及び絞り１１ｂを通過した光が当たるようになっている。このフォトダイオードＰのアノードＰAには直流電圧ＶPDが印加されており、カソードＰKにはトランジスタＴ1のドレインＴ1Dが接続されている。
【００６３】
トランジスタＴ1のゲートＴ1Gには信号φSが入力されるようになっており、ソースＴ1SにはトランジスタＴ2のゲートＴ2G及びドレインＴ2Dが接続されている。
【００６４】
このトランジスタＴ2のソースＴ2Sには信号印加ラインＬC（図３（ａ）のＬC1〜ＬCnに相当）が接続されており、この信号印加ラインＬCから信号φVPSが入力されるようになっている。ここで、図７に示すように、信号φVPSは２値の電圧信号であり、より詳細には、入射光量が変曲入射光量ｔｈを超えたときにトランジスタＴ2をサブスレッショルド領域で動作させるための電圧値ＶＬと、トランジスタＴ2を導通状態にする電圧値ＶＨとの２つの値をとるようになっている。
【００６５】
また、トランジスタＴ1のソースＴ1SにはトランジスタＴ3のゲートＴ3Gが接続されている。
このトランジスタＴ3のドレインＴ3Dには、直流電圧ＶPDが印加されるようになっている。また、トランジスタＴ3のソースＴ3Sには、キャパシタＣの一端と、トランジスタＴ5のドレインＴ5Dと、トランジスタＴ4のゲートＴ4Gとが接続されている。
【００６６】
キャパシタＣの他端には、信号印加ラインＬB（図３（ａ）のＬB1〜ＬBnに相当）が接続されており、この信号印加ラインＬBから信号φVDが与えられるようになっている。ここで、図７に示すように、信号φVDは３値の電圧信号であり、より詳細には、キャパシタＣを積分動作させる際の電圧値Ｖｈと、光電変換された電気信号読み出し時の電圧値Ｖｍと、ノイズ信号読み出し時の電圧値Ｖｌとの３つの値をとるようになっている。
【００６７】
トランジスタＴ5のソースＴ5Sには直流電圧ＶRGが、ゲートＴ5Gには信号φRSが入力されるようになっている。
【００６８】
トランジスタＴ4のドレインＴ4Dには、トランジスタＴ3のドレインＴ3Dと同様に直流電圧ＶPDが印加されるようになっており、ソースＴ4Sには、トランジスタＴ6のドレインＴ6Dが接続されている。
【００６９】
このトランジスタＴ6のソースＴ6Sには、信号読出ラインＬD（図３（ａ）のＬD1〜ＬDmに相当）が接続されており、ゲートＴ6Gには、信号印加ラインＬA（図３（ａ）のＬA1〜ＬAnに相当）から信号φVが入力されるようになっている。
【００７０】
続いて、各画素Ｇ11〜Ｇmn及び垂直走査回路２１の動作について説明する。
まず、図７に示すように、垂直走査回路２１が画素Ｇ11〜Ｇmnのリセット動作を行う。
具体的には、信号φSがＬｏｗ、信号φVがＨｉ、信号φVPSがＶＬ、信号φRSがＨｉ、信号φVDがＶｈとなっている状態から、垂直走査回路２１が、パルス信号φVと、電圧値Ｖｍのパルス信号φVDとを画素Ｇ11〜Ｇmnに与えて電気信号を信号読出ラインＬDに出力させた後、信号φSをＨｉとしてトランジスタＴ1をＯＦＦにする。
【００７１】
次に、垂直走査回路２１が信号φVPSをＶＨとすることで、トランジスタＴ2のゲートＴ2G及びドレインＴ2D、並びにトランジスタＴ3のゲートＴ3Gに蓄積された負の電荷を速やかに再結合させる。また、垂直走査回路２１が信号φRSをＬｏｗとしてトランジスタＴ5をＯＮにすることにより、キャパシタＣとトランジスタＴ4のゲートＴ4Gとの接続ノードの電圧を初期化する。
【００７２】
次に、垂直走査回路２１が信号φVPSをＶＬとすることでトランジスタＴ2のポテンシャル状態を基の状態に戻した後、信号φRSをＨｉにして、トランジスタＴ5をＯＦＦにする。次に、キャパシタＣが積分動作を行う。これにより、キャパシタＣとトランジスタＴ4のゲートＴ4Gとの接続ノードの電圧が、リセットされたトランジスタＴ2のゲート電圧に応じたものとなる。
【００７３】
次に、垂直走査回路２１がパルス信号φVをトランジスタＴ6のゲートＴ6Gに与えることでトランジスタＴ6をＯＮにするとともに、電圧値Ｖｌのパルス信号φVDをキャパシタＣに印加する。このとき、トランジスタＴ4がソースフォロワ型のＭＯＳトランジスタとして動作するため、信号読出ラインＬDにはノイズ信号が電圧信号として現れる。
【００７４】
そして、垂直走査回路２１がパルス信号φRSをトランジスタＴ5のゲートＴ5Gに与えてキャパシタＣとトランジスタＴ4のゲートＴ4Gとの接続ノードの電圧をリセットした後、信号φSをＬｏｗにしてトランジスタＴ1をＯＮにする。これにより、リセット動作が完了し、画素Ｇ11〜Ｇmnが撮像可能状態となる。
【００７５】
次に、画素Ｇ11〜Ｇmnが撮像動作を行う。
具体的には、フォトダイオードＰより入射光量に応じた光電荷がトランジスタＴ2に流れ込むと、光電荷がトランジスタＴ2のゲートＴ2Gに蓄積される。
【００７６】
ここで、被写体の輝度が低く、フォトダイオードＰに対する入射光量が前記変曲入射光量ｔｈよりも少ない場合には、トランジスタＴ2はカットオフ状態であるので、トランジスタＴ2のゲートＴ2Gに蓄積された光電荷量に応じた電圧が当該ゲートＴ2Gに現れる。そのため、トランジスタＴ3のゲートＴ3Gには、入射光を線形変換した電圧が現れる。
一方、被写体の輝度が高く、フォトダイオードＰに対する入射光量が前記変曲入射光量ｔｈよりも多い場合には、トランジスタＴ2がサブスレッショルド領域で動作を行う。そのため、トランジスタＴ3のゲートＴ3Gには、入射光を自然対数で対数変換した電圧が現れる。
【００７７】
トランジスタＴ3のゲートＴ3Gに電圧が現れると、その電圧量に応じてキャパシタＣからトランジスタＴ3のドレインＴ3Dに流れる電流が増幅される。そのため、トランジスタＴ4のゲートＴ4Gには、フォトダイオードＰの入射光を線形変換または対数変換した電圧が現れる。
【００７８】
次に、垂直走査回路２１が信号φVDの電圧値をＶｍとするとともに、信号φVをＬｏｗとする。これにより、トランジスタＴ4のゲート電圧に応じたソース電流が、トランジスタＴ6を介して信号読出ラインＬDへ流れる。このとき、トランジスタＴ4がソースフォロワ型のＭＯＳトランジスタとして動作するため、信号読出ラインＬDには撮像時の電気信号が電圧信号として現れる。ここで、トランジスタＴ4，Ｔ6を介して出力される電気信号の信号値はトランジスタＴ4のゲート電圧に比例した値となるため、当該信号値はフォトダイオードＰの入射光を線形変換または対数変換した値となる。
【００７９】
そして、垂直走査回路２１が信号φVDの電圧値をＶｈとするとともに、信号φVをＨｉとすることにより、撮像動作が終了する。
【００８０】
ここで、上述の図５で示したように撮像素子２に対する制御電圧が大きくなるほど、つまり、信号φVPSの撮像時の電圧値ＶＬが低くなってリセット時の電圧値ＶＨとの差が大きくなるほど、変曲入射光量ｔｈが大きくなって線形変換動作の割合が大きくなるのは、制御電圧が大きくなるほど、トランジスタＴ2のゲートＴ2GとソースＴ2Sとの間のポテンシャルの差が大きくなり、トランジスタＴ2がカットオフ状態で動作する被写体輝度の割合、つまり線形変換する被写体輝度の割合が大きくなるためである。また、図５では図示していないが、撮像素子２の露光時間が短くなる場合や、温度が低くなる場合にも、線形変換する被写体輝度の割合は大きくなる。そのため、これら制御電圧や露光時間、温度などを変化させることによって、変曲点Ｑをシフトさせる結果、画像信号のダイナミックレンジや、前記変曲点Ｑでの前記変曲入射光量ｔｈ，前記変曲出力信号値Ｈを制御することができる。具体的には、例えば、被写体の輝度範囲が狭い場合には電圧値ＶＬを低くし、変曲点Ｑの変曲入射光量ｔｈを大きくして線形変換する輝度範囲を広くする一方、被写体の輝度範囲が広い場合には電圧値ＶＬを高くし、変曲点Ｑの変曲入射光量ｔｈを小さくして対数変換する輝度範囲を広くすることで、画素Ｇ11〜Ｇmnの光電変換特性を被写体の特性に合わせることができる。更に、電圧値ＶＬを最小とするときには常に画素Ｇ11〜Ｇmnを線形変換する状態とし、電圧値ＶＬを最大とするときには常に画素Ｇ11〜Ｇmnを対数変換する状態とすることもできる。
【００８１】
続いて、本発明に係る撮像方法について説明する。
まず、制御装置４６が、複数の画素Ｇ11〜Ｇmnを複数種類の画素群に分類する（分類工程）。ここで、本実施の形態においては、図８の一番上の図に示すように、制御装置４６は複数の画素ブロックＢ，…を２種類の画素ブロック群Ｂ（α），Ｂ（β）に分類しており、これら画素ブロック群Ｂ（α），Ｂ（β）は互い違いに位置して市松模様を形成している。
【００８２】
次に、制御装置４６は、画素ブロック群Ｂ（α）では画素ブロック群Ｂ（β）と比較して前記変曲入射光量ｔｈが大きくなるよう、画素ブロック群Ｂ（α）の画素Ｇ11〜Ｇmnと、画素ブロック群Ｂ（β）の画素Ｇ11〜Ｇmnとの間で変曲点Ｑを変えて設定する（変曲点設定工程）。
【００８３】
このように画素ブロック群Ｂ（α），Ｂ（β）の間で変曲点Ｑを変えて設定することにより、図９に示すように、電気信号で表現可能な輝度範囲が画素ブロック群Ｂ（α），Ｂ（β）の間で変わる結果、後述の撮影工程では、異なる撮影条件で２枚の画像が同時に撮影されることとなる。なお、本実施の形態においては、図８の上から２番目の図に示すように、撮影工程において画素ブロック群Ｂ（α）では主に線形変換動作（Li）が用いられ、画素ブロック群Ｂ（β）では主に対数変換動作（Log）が用いられるようになっている。
【００８４】
次に、設定された変曲点Ｑを用いて撮像装置１が画像を撮影する（撮影工程）。具体的には、撮像素子２が各画素Ｇ11〜Ｇmnへの入射光を光電変換し、線形変換動作または対数変換動作由来の電気信号をアナログ信号として出力する。これにより、画素ブロック群Ｂ（α）に起因する電気信号と、画素ブロック群Ｂ（β）に起因する電気信号とが出力される。
【００８５】
次に、撮像素子２から出力されたアナログ信号をアンプ３０が増幅し、ＡＤコンバータ３１がデジタル信号に変換する。次に、黒基準補正部３２が黒基準補正を行った後、当該デジタル信号を信号処理部３３が線形変換動作由来の状態に統一する。次に、信号処理部３３から出力される電気信号に基づいて評価値算出部５が前記ＡＷＢ評価値，ＡＥ評価値を算出する。次に、ＡＷＢ評価値や、前記黒基準補正部３２で設定された前記最低レベル等に基づいて制御装置４６がＡＷＢ処理部４０を制御し、信号処理部３３から出力される画像データに対してホワイトバランス処理を行わせる。なお、評価値算出部５で算出されたＡＥ評価値は、露光制御処理部４７において撮像素子２の露光量の調整に用いられる。
【００８６】
次に、ＡＷＢ処理部４０から出力される画像データ、より詳細には画素ブロック群Ｂ（α），Ｂ（β）に起因する各画像データに基づいて、当該画素ブロック群Ｂ（α），Ｂ（β）に含まれる画素ブロックＢ間での画像データを色補間部４１が補間演算する（補間工程）。これにより、図８の上から３番目の図に示すように、各画素ブロック群Ｂ（α），Ｂ（β）による撮影画像が精細な画像となる。
【００８７】
次に、色補正部４２、階調変換部４３及び色空間変換部４４がそれぞれ画像処理を行った後、画素ブロック群Ｂ（α），Ｂ（β）に起因する各画像データから画像合成部４１０が輝度飽和のなく、コントラストの良い領域を抜き出して１枚の画像を合成する（画像合成工程）。これにより、各画素ブロック群Ｂ（α），Ｂ（β）によって撮影される画像に白飛び領域やコントラストの悪い領域が生じる場合であっても、図８の一番下の図に示すように、白飛びのなく、コントラストの良い画像を得ることができる。
【００８８】
そして、合成された画像データをモニタ１７が表示する。なお、このとき、画像データを記憶部６０が記憶することとしても良い。
【００８９】
以上の撮像方法によれば、撮像条件の異なる複数枚の画像を画素ブロック群Ｂ（α），Ｂ（β）によって同時に撮影することができるため、前記第１の手法を単純に用いる従来の場合と異なり、線形変換モードと対数変換モードとを入射光量に基づいて切り換える撮像素子２を用いる場合であっても、被写体の輝度差に関らずコントラストの良い画像を撮影することができる。
【００９０】
また、このように１回の撮影でコントラストの良い画像を撮影することができるため、前記第２の手法を用いる従来の場合と異なり、良好な画像を得ることができる。
また、露光条件の異なる複数の撮像素子を用いて２枚の画像を同時に撮影して合成する場合と異なり、撮像装置の大型化を防止することができる。
【００９１】
［実施の形態の変形例（１）］
次に、上記実施の形態の変形例（１）について説明する。なお、上記実施の形態と同様の構成要素には同一の符号を付し、その説明を省略する。
【００９２】
本変形例（１）における撮像装置１の制御装置４６は、前記分類工程において、図１０（ａ）に示すように、測距エリア（図中、中央側のエリア）を画素ブロック群Ｂ（β）、それ以外の領域（図中、外側のエリア）を画素ブロック群Ｂ（α）として画素ブロックＢ，…を分類するようになっている。なお、この図１０（ａ）と、後述の図１０（ｂ），（ｃ）とでは、図示の便宜上、「Ｂ（α）」を「α」とし、「Ｂ（β）」を「β」として図示している。
【００９３】
また、この制御装置４６は、前記変曲点設定工程において、画素ブロック群Ｂ（β）の変曲入射光量ｔｈが画素ブロック群Ｂ（α）より大きくなるよう、変曲点Ｑを変えて設定するようになっている。
【００９４】
また、この撮像装置１の色補間部４１及び画像合成部４１０は、補間工程及び画像合成工程を行わないようになっている。
【００９５】
このような撮像装置１によっても、上記実施の形態と同様に、コントラストの良い良好な画像を撮影することができる。また、撮像装置の大型化を防止することができる。
【００９６】
また、画素ブロック群Ｂ（β）の変曲入射光量ｔｈが画素ブロック群Ｂ（α）より大きくなるよう変曲点Ｑを変えて設定するので、測距エリアでのコントラストを高めることができる。従って、測距を正確に行うことができる。
【００９７】
［実施の形態の変形例（２）］
次に、上記実施の形態の変形例（２）について説明する。なお、上記実施の形態と同様の構成要素には同一の符号を付し、その説明を省略する。
【００９８】
本変形例（２）における撮像装置１の制御装置４６は、前記分類工程において、上述の図１０（ａ）に示すように、デジタルズームによって拡大処理されるエリア（図中、中央側のエリア）を画素ブロック群Ｂ（β）、それ以外の領域（図中、外側のエリア）を画素ブロック群Ｂ（α）として画素ブロックＢ，…を分類するようになっている。
【００９９】
また、この制御装置４６は、前記変曲点設定工程において、画素ブロック群Ｂ（β）の変曲入射光量ｔｈが画素ブロック群Ｂ（α）より小さくなるよう、変曲点Ｑを変えて設定するようになっている。
【０１００】
また、この撮像装置１の色補間部４１及び画像合成部４１０は、補間工程及び画像合成工程を行わないようになっている。
【０１０１】
このような撮像装置１によっても、上記実施の形態と同様に、コントラストの良い良好な画像を撮影することができる。また、撮像装置の大型化を防止することができる。
【０１０２】
また、画素ブロック群Ｂ（β）の変曲入射光量ｔｈが画素ブロック群Ｂ（α）より小さくなるよう変曲点Ｑを変えて設定するので、拡大処理エリアの画像データを対数変換動作に由来の状態とすることができる。従って、拡大処理において積算による補間演算を行う場合に、この演算を容易に行うことができる。
【０１０３】
［実施の形態の変形例（３）］
次に、上記実施の形態の変形例（３）について説明する。なお、上記実施の形態と同様の構成要素には同一の符号を付し、その説明を省略する。
【０１０４】
本変形例（３）における撮像装置１の制御装置４６は、前記分類工程において、図１０（ｂ）に示すように、レンズ群１１ａの光学特性によって光量の低下する周辺領域（図中、外側のエリア）を画素ブロック群Ｂ（α）、それ以外の領域（図中、中央側のエリア）を画素ブロック群Ｂ（β）として画素ブロックＢ，…を分類するようになっている。
【０１０５】
また、この制御装置４６は、前記変曲点設定工程において、画素ブロック群Ｂ（α）の変曲入射光量ｔｈが画素ブロック群Ｂ（β）より大きくなるよう、変曲点Ｑを変えて設定するようになっている。
【０１０６】
また、この撮像装置１の色補間部４１及び画像合成部４１０は、補間工程及び画像合成工程を行わないようになっている。
【０１０７】
このような撮像装置１によっても、上記実施の形態と同様に、コントラストの良い良好な画像を撮影することができる。また、撮像装置の大型化を防止することができる。
【０１０８】
また、画素ブロック群Ｂ（α）の変曲入射光量ｔｈが画素ブロック群Ｂ（β）より大きくなるよう変曲点Ｑを変えて設定するので、周辺領域の画像データを線形変換動作に由来の状態とすることができる。従って、周辺領域の光量が低下する場合であっても、コントラストの良い画像を得ることができる。
【０１０９】
［実施の形態の変形例（４）］
次に、上記実施の形態の変形例（４）について説明する。なお、上記実施の形態と同様の構成要素には同一の符号を付し、その説明を省略する。
【０１１０】
本変形例（４）における撮像装置１の制御装置４６は、前記分類工程において、操作者から操作キー１８に入力される操作指示に基づいて画素ブロックＢ，…の分類を行うようになっている。なお、操作者はモニタ１７に表示されるプレビュー画面などに基づいて操作指示を入力することが好ましい。
このような撮像装置１によっても、上記実施の形態と同様に、コントラストの良い良好な画像を撮影することができる。また、撮像装置の大型化を防止することができる。
［実施の形態の変形例（５）］
次に、上記実施の形態の変形例（５）について説明する。なお、上記実施の形態と同様の構成要素には同一の符号を付し、その説明を省略する。
【０１１１】
本変形例（５）における撮像装置１は、表裏面にレンズを有する携帯電話機（図示せず）であり、２つの撮影光学系を用いて１つの撮像素子２で撮影を行うようになっている。
【０１１２】
この撮像装置の制御装置４６は、前記分類工程において、図１０（ｃ）に示すように、一方の光学系からの入射エリア（図中左側のエリア）を画素ブロック群Ｂ（α）、他方の光学系からの入射エリア（図中右側のエリア）を画素ブロック群Ｂ（β）として画素ブロックＢ，…を分類するようになっている。
【０１１３】
また、この制御装置４６は、前記変曲点設定工程において、各光学系の光学特性に基づき、画素ブロック群Ｂ（α），Ｂ（β）の間で変曲点Ｑを変えて設定するようになっている。
【０１１４】
また、この撮像装置の色補間部４１及び画像合成部４１０は、補間工程及び画像合成工程を行わないようになっている。
【０１１５】
このような撮像装置１によっても、上記実施の形態と同様に、コントラストの良い良好な画像を撮影することができる。
また、２つの光学系を有する撮像装置であっても、１つの撮像素子によって撮影を行うことができるため、撮像装置の大型化を確実に防止することができる。
【０１１６】
なお、上記実施の形態及び変形例においては、本発明に係る撮像装置をコンパクトタイプのデジタルカメラとして説明したが、一眼レフタイプのデジタルカメラとしても良いし、カメラ付携帯電話や車載カメラなどの撮影機能を備えた電子機器としても良いし、携帯電話や車載カメラなどの電子機器に組み込まれるカメラユニット等としても良い。
【０１１７】
また、撮像装置１は画素ブロック群Ｂ（α），Ｂ（β）に起因する画像データを画像合成部４１０によって１枚の画像に合成することとして説明したが、合成を行わないこととしても良い。更に、合成を行わない場合には、画素ブロック群Ｂ（α），Ｂ（β）から得られる各画像データをそれぞれモニタ１７が表示して記憶部６０が記憶することとしても良いし、ユーザの指示に基づいて何れか一方の画像データのみをモニタ１７が表示して記憶部６０が記憶することとしても良いし、各画像データをそれぞれモニタ１７が表示し、ユーザの指示に基づいて何れか一方の画像データのみを記憶部６０が記憶することとしても良い。
【０１１８】
また、前記撮影工程において画素ブロック群Ｂ（α）では主に線形変換動作が、画素ブロック群Ｂ（β）では主に対数変換動作が用いられることとして説明したが、画素ブロック群Ｂ（α）では線形変換動作のみが、画素ブロック群Ｂ（β）では対数変換動作のみが用いられることとしても良い。
【０１１９】
また、撮像装置１は、分類工程及び変曲点設定工程を行ってから撮影工程を行うこととして説明したが、所定の撮影モードで撮影を行う場合にのみ分類工程及び変曲点設定工程を行い、これ以外の場合にはこれらの工程を行わないこととしても良い。ここで、所定の撮影モードとしては、例えば焦点調整を自動で行うＡＦ（Auto Focus）モードや、画像データを圧縮処理する圧縮モード、各画素群で撮影される画像を合成する画像合成モード、広い撮影領域の撮影を行うワイドモード、デジタルズームを行うデジタルズームモード等がある。
【０１２０】
また、画素Ｇ11〜Ｇmnは図６のような構成を有することとして説明したが、線形変換動作と対数変換動作とを切り換え可能であれば、例えば上述の特許文献１，２に示されるような構成を有することとしても良い。
【０１２１】
更に、各画素Ｇ11〜ＧmnにＲＧＢフィルタを設けることとして説明したが、シアン（Cyan）、マゼンタ（Magenta）及びイエロー（Yellow）などの他の色フィルタを設けることとしても良い。
【図面の簡単な説明】
【０１２２】
【図１】本発明に係る撮像装置の外観を示す図であり、（ａ）は正面側からの斜視図、（ｂ）は背面側からの斜視図である。
【図２】本発明に係る撮像装置の概略構成を示すブロック図である。
【図３】（ａ）は撮像素子の構成を示すブロック図であり、（ｂ）は画素ブロックを示す図である。
【図４】画素及び信号処理部の動作を説明するための図である。
【図５】制御電圧と変曲点との関係を示す図である。
【図６】画素の構成を示す回路図である。
【図７】画素のリセット動作を示すタイミングチャートである。
【図８】本発明に係る撮像方法を説明するための図である。
【図９】各画素ブロック群に含まれる画素の変換特性を示す図である。
【図１０】変形例における画素ブロック群の分類形態を示す図である。
【符号の説明】
【０１２３】
１          撮像装置
２          撮像素子
１８        操作キー（入力装置）
４１        色補間部（補間部）
４６        制御装置
４１０      画像合成部
Ｇ11〜Ｇmn  画素
Ｑ          変曲点
【図１】
2006303755.tif 000003
【図２】
2006303755.tif 000004
【図３】
2006303755.tif 000005
【図４】
2006303755.tif 000006
【図５】
2006303755.tif 000007
【図６】
2006303755.tif 000008
【図７】
2006303755.tif 000009
【図８】
2006303755.tif 000010
【図９】
2006303755.tif 000011
【図１０】
2006303755.tif 000012